(57)【要約】【課題】クリンプされた線材を使用した金網を用いたフェンスであって、傾斜地でも、現場にて角度を決めて容易に施工可能であり、しかも製作から施工時までの間におけるフェンスの取扱に際し、縦線、横線が安定していてずれることがなく、施工性が向上したフェンスを提供する。【解決手段】縦線と横線が組まれた、クリンプされた線材を使用した金網からなるフェンス本体が複数の支柱間に固定されているフェンスにおいて、前記金網からなるフェンス本体１は、波形凹凸部分が形成された縦線２と横線３が縦横平行に配置されてなり、前記縦線２は、隣接する半ピッチずれた２本線以上の横線３の凹部４と凸部５に通して係合され、前記隣接する横線の組が互いに３ピッチ以上離れて、金網が平行四辺形に変形可能なことを特徴とする。【選択図】図１
2006152616.tif 000002
【特許請求の範囲】
【請求項１】
縦線と横線が組まれた、クリンプされた線材を使用した金網からなるフェンス本体が複数の支柱間に固定されているフェンスにおいて、
前記金網は、
波形凹凸部分が形成された縦線と横線が各々縦横平行に配置されてなり、
前記縦線は、隣接する半ピッチずれた２本線以上の横線の凹凸部分に通されて係合され、この２本線以上の横線を１組として、
前記横線の組の上、および下の横線の組が互いに３ピッチ以上離れて、金網が平行四辺形に変形可能なことを特徴とするフェンス。
【請求項２】
前記縦線および横線の線径が、波型の凹部の深さ（ｈ）以下であることを特徴とする請求項１記載のフェンス。
【請求項３】
縦線の下端部を最下段の横線より下方に延長して地盤への埋設部としていることを特徴とする請求項１または２記載のフェンス。
【請求項４】
縦線と横線のそれぞれの線径（ｄ）と波型の凹部の深さ（ｈ）とピッチ（ｐ）が、略２：４：５に設けられていることを特徴とする請求項１〜３の何れか１項に記載のフェンス。
【発明の詳細な説明】
【技術分野】
【０００１】
本発明は、フェンスに係り、特に、クリンプされた線材を使用した金網からなるフェンスに関するものである。
【背景技術】
【０００２】
例えば、山あいに建設された高速自動車道路や幹線鉄道線路などでは、小動物が道路内に進入しないように、道路の両側にフェンスが設けられる。従来、この防獣フェンスは、縦、横胴縁の間に溶接格子金網を張ったものが一般に使用されているが、この溶接格子金網を使用したフェンスを傾斜地に施工するには、その傾斜地の角度に合わせて横線の角度を変えて縦線に溶接した格子金網を専用に作成し施工していた。これは非常に作業性が悪く、また、それぞれの傾斜角度に対応することも非常に難しかった。溶接格子金網のフェンスを傾斜地に設置する、さらに他の設置方法として、施工現場にて傾斜角度に合わせて溶接金網の上下を切断して施工することがあるが、作業性が悪いし、美観も悪かった。
【０００３】
前記の問題点に鑑み傾斜地に対応できる格子金網の特許はいくつか出願されている。
例えば、（１）特開昭６１−８５６７０号「傾斜地設置可能なネットフェンス」がある。この先行技術には、フェンスの金網部分を構成する縦線と横線の交点を単に接触状態に保持している傾斜地施工可能なネットフェンスが開示されている。しかし、この従来例（１）は、交点が固定されていないため、線材が横、または、縦にずれることがあり、横胴縁、縦胴縁で金網を固定するまでは、金網が崩れないように維持する必要がある。従って、梱包、運搬、施工時には十分な注意を払う必要があり、また、一度、金網が崩れた際には、それを戻すのに非常に手間ひまがかかる。
【０００４】
（２）特開２００２−８１２３１号「小動物進入防止用フェンス金網」には、フェンスの金網の縦線と横線が交差する箇所に、縦線と横線を組み合わせるための凹状の屈曲部または湾曲部を設け、この凹状部を相互に嵌め合わせて構成している金網を使用した小動物進入防止用フェンス金網が開示されている。しかし、この従来例（２）のフェンス金網も線材にコ字状の凹状部があり、ずれにくくはなっているが、縦線と横線の交点を単に接触状態に保持している点では、（１）と同様であり、前記と同様に金網が崩れる可能性があるし、また、コ字状の凹状部をもった線材を製造するのに手間が掛り、生産性が悪い。
【０００５】
また、従来、ＪＩＳ規格のクリンプ金網はフェンス用としては、使用されることがあまりなかった。というのは、クリンプ金網は、縦線と横線が隣接する波型凹凸部分に配置する構成ではなく、複数の凹凸部分を隔てた一定ピッチのピッチでかなり細かく編成されており、縦横線材どおしの拘束力が強く、わずかな傾斜地にしか対応することができなかった。また、傾斜地に対応できるように、大きなピッチで編成すると平行四辺形に変形可能で、傾斜地には対応できるが、線材どおしの拘束力が少なく、たやすく線材がずれて、金網が崩れてしまう欠点があったからである。また、かなり密に編んでいるクリンプ金網フェンスもあるが、線材どおしの拘束力が強く、わずかな傾斜地にしか対応できなかったし、密に編んだことによる景観性を目的としたフェンスであった。このクリンプ金網を傾斜地に設置するには、縦線と横線をある程度の間隔をあけて格子状に編み込み、かつ平行４辺を保って変形自在に構成し、製作時は長方形に編成した金網を施工時に平行四辺形を保って上下辺が傾斜するように変形させて傾斜地に設置するものである。
【０００６】
傾斜地対応型のクリンプ金網は前記のように編成するが、この場合、平行四辺形を保って変形可能に縦線と横線を編成するためには、その交差部にある程度の自由度を確保する必要がある。このため縦線と横線は、隣接する波型凹凸部分に配置する構成ではなく、複数の凹凸部分を隔てて位置するように編成されている。このため傾斜地対応型の従来のクリンプ金網も、（１）（２）の従来例と同様に線材がずれやすい構造となって、製作時から施工に至る間の取り扱いには十分な注意を払う必要があり、また、一度、金網が崩れた際には、それを戻すのに非常に手間ひまがかかる問題があった。  
【特許文献１】特開昭６１−８５６７０号
【特許文献２】特開２００２−８１２３１号
【発明の開示】
【発明が解決しようとする課題】
【０００７】
特許文献１、２に開示のフェンスは、傾斜地に対応可能であるが、縦線・横線がずれやすく、また、特に、防獣フェンスとして使用する際には、動物がフェンスを登って侵入するのを防止するために、横線の間隔をあけて編成する必要があり、間隔をあけると、さらにずれやすくなり、梱包、運搬、施工時の取り扱いには十分な注意を払う必要があった。また、製作に手間が掛り、生産性が悪い等の問題があった。
【０００８】
本発明は、前記の問題点を解決したものであって、クリンプ状に波型凹凸部分を形成した線材を縦線および横線とし、この線材を波型凹凸部分を利用して特定の網目に編成した金網を用いて平地や傾斜地に設置可能としたフェンスであって、製作から梱包、運搬、施工までの間における取り扱いによって、縦線・横線がずれる不具合を解消したフェンスを提供することを目的とする。
【課題を解決するための手段】
【０００９】
前記の目的を達成するため、本発明は次のように構成する。
【００１０】
第１の発明は、縦線と横線が組まれた、クリンプされた線材を使用した金網からなるフェンス本体が複数の支柱間に固定されているフェンスにおいて、前記金網は、波形凹凸部分が形成された縦線と横線が縦横平行に配置されてなり、前記縦線は、隣接する半ピッチずれた２本線以上の横線の凹凸部分に通されて係合され、前記隣接する横線の組が互いに３ピッチ以上離れて、前記金網が平行四辺形に変形可能なことを特徴とする。
【００１１】
第２の発明は、第１の発明において、前記縦線および横線の線径が、波型の凹部の深さ（ｈ）以下であることを特徴とする。
【００１２】
第３の発明は、第１または第２の発明において、縦線の下端部を最下段の横線より下方に延長して地盤への埋設部としていることを特徴とする。
【００１３】
第４の発明は、第１〜第３の発明において、縦線と横線のそれぞれの線径（ｄ）と波型の凹部の深さ（ｈ）とピッチ（ｐ）が、略２：４：５に設けられていることを特徴とする
を特徴とする。
【発明の効果】
【００１４】
本発明のクリンプされた線材を使用した金網を用いたフェンスによると、次の効果がある。
【００１５】
（１）縦線と横線が組まれた、クリンプされた線材を使用した金網からなるフェンスにおいて、前記金網の波形凹凸部分が形成された縦線と横線が縦横平行に配置されてなり、前記縦線は、隣接する半ピッチずれた２本線以上の横線の凹凸部分に通されて係合されているので、近接した２本線による四方枠が形成され、線材がずれることなく、特に、横線の間隔をあけて金網を構成することもでき、運搬、施工が可能となる。
（２）さらに、縦線においても、金網の左右両端で、横線の隣接した凹凸部分に縦線を２本通すことにより、近接した２本線による四方枠が形成され、線材がずれることなく運搬、施工が可能になる。
（３）また、縦線と横線は固定されてなく、回転可能な状態であるため、格子が長方形から平行四辺形に変形し、傾斜地に施工することが可能になる。
（４）金網の大きさによっては、中間部にも、同様に隣接した凹凸部分に横線や縦線を通すことにより、格子の目合を小さくでき、フェンスの強度が向上すると共に、小動物の進入をより確実に防止できる効果が高まる。
【００１６】
このように本発明によると、クリンプされた線材を使用した金網からなるフェンスは勾配が０°から約３０°の範囲で平行四辺形を保持して自由に変形できると共に、柱・胴縁への取り付けが自由であることにより、平地に設置できるのは勿論、どんな傾斜地でも、現場にて角度を決めて容易に施工可能であり、しかも製作から梱包、運搬、施工時までの間のクリンプ金網の取扱に際し、縦線、横線が安定して編成されているので、ずれることがなく、フェンスの取り扱いが容易となり施工性が向上する。
【発明を実施するための最良の形態】
【００１７】
以下、本発明の実施形態を図を参照して説明する。
【００１８】
図１（ａ）は、本発明のフェンス本体を構成するクリンプされた線材を使用した金網の正面図、（ｂ）は、側面図、（ｃ）は、図（ｂ）のＡ部の詳細図、図２（ａ）は、図１（ａ）のＢ部の拡大図、図２（ｂ）は、図２（ａ）のＣ−Ｃ断面図、図３（ａ）は、図２（ａ）の斜視図、図３（ｂ）は、縦線と横線の線径と波型凹凸部分の深さ（ｈ）の関係を示す説明図である。図４（ａ）は、図１のフェンス本体を平地に設置する場合の正面図、図４（ｂ）は、図１（ａ）のフェンス本体につき平行四辺形を保持して変形させて傾斜地に設置する場合の正面図である。
【００１９】
図５（ａ）（ｂ）は、図１〜図４に示すフェンス本体（クリンプ金網）で構成したフェンスを平地に設置した状態を示す正面図と側面図、図６、図７は、図５のフェンスにおける各部の連結構造の部分図である。 
【００２０】
図１〜図４に示すように、フェンス本体（クリンプされた線材を使用した金網）１は複数本の縦線２と横線３を格子状に編成して構成される。縦線２と横線３の各線材は、凹部４と凸部５を持った波状の線材であり、この線材で構成した縦線２と横線３を一定の目合に配列して編み上げた金網として構成されている。図１においては、両側部の縦線２がフェンス本体１の両側部を構成し、最上部の横線３と最下部の横線３がフェンス本体１の上部と下部を構成し、両側部の縦線２最上部と最下部の横線３とで囲まれる長方形の枠の内側に複数本の縦線２と横線３を一定の目合に配列して編み上げた金網として構成されている。
【００２１】
本実施形態の主要素は、フェンス本体１の両側部を構成する縦線２ａと、最上部と最下部を構成する横線３ａが、それぞれ相手側の縦線２ａと横線３ａの連続した隣接の波型凹凸部分に通される構成としたことである。
【００２２】
図２、図３によってさらに説明すると、フェンス本体１の２本の側部縦線２ａの凹部４と凸部５は、下部横線３ａの凸部５と凹部４に直交して係合している。このように２本１組の側部縦線２ａと下部横線３ａが絡み合って四方枠６が形成されて、相互にずれないように編み込まれている。このような四方枠６がフェンス本体１の四隅部に形成されることで、フェンス本体１の長方形の４辺が安定して組まれることになる。隣り合う側部縦線２ａ、下部横線３ａは、それぞれ波型凹凸部分が半ピッチずれて配置されことで、相手側の線材の隣接する凸部５と凹部４で絡み合うように編み込まれる。側部縦線２ａと下部横線３ａは、少なくとも２本以上が連続して隣接する凸部５と凹部４に編み込まれるようになっていれば、３本以上であっても構わないが、理想的には２本乃至４本が望ましい。
【００２３】
フェンス本体１４辺に位置する２本１組の両側部縦線２ａと上下部横線３ａに対して、その内側に複数の中間部縦線２ｂと中間部横線３ｂが編みこまれる。図において中間部横線３ｂは上下に隣接する２本１組をなし、かつ、上下に間隔をあけて複数段配設されており、その両端は、２本１組の両側部縦線２ａの上下に隣接する凹部４と凸部５の間に配置される。このように２本１組の中間部横線３ｂと側部縦線２ａが絡み合って四方枠６が形成されることにより、側部縦線２ａに対して中間部横線３ｂは安定して組み込まれてずれることがない。特に、２本１組の中間部横線３ｂは、上下方向に間隔をおいて配設されていても、両端部が側部縦線２ａにしっかりと安定して支持される。中間部横線３ｂは、さらに線材の本数を増減してもよく、何れの場合も、端部は２本１組の両側部縦線２ａの隣接する凹部４と凸部５によって安定に係止される。
【００２４】
複数の中間部縦線２ｂは、多段に設けられた２本１組の中間部横線３ｂの横方向に隣接する凹部４と凸部５の間に係合して上下方向に伸長して設けられ、さらに、中間部縦線２ｂの上下端部は、２本１組の上下部横線３ａの横方向に隣接する凹部４と凸部５の間に配置される。このように中間部縦線２ｂが２本１組の中間部横線３ｂと上下部横線３ａに挟まれてずれないように支持されることで、フェンス本体１が安定して編成される。複数配設される中間部縦線２ｂの横方向の間隔は任意であるが、中間部横線３ｂの凹部４と凸部５の３ピッチ以上離れた配置に設けるのがよい。また、両側部縦線２ａと中間部縦線２ｂの下端部は、最下段の下部横線３ａより下方に延長して地盤への埋設部とされていてもよい。
【００２５】
各縦線２および横線３の線径は、波型の凹部４の深さ（ｈ）以下に設けるのが望ましい。このように構成することにより縦線２と横線３は、相手側の縦線２と横線３波型の凹部４内に納まって係合するので、凹部４から脱出しにくく安定した編成となると共に美観も向上する。また、縦線２と横線３は、例えば４Φｍｍの線径を規準として、線径（ｄ）と波型の凹部の深さ（ｈ）とピッチ（ｐ）は、略２：４：５に設けるのがよく、このように構成すると隣接する波型凹凸部分に互いに係合する縦線２と横線３は、互いに係合する相手側の線材の軸線方向にずれることがなく、しかも、前記線径に対して余裕を持たせて深さ（ｈ）とピッチ（ｐ）を設定しているため、縦線２と横線３とは互いに回動自在となる。即ち、縦線２と横線３の交差部を支点として、平行四辺形を保って円滑に変形できる。
【００２６】
前記のフェンス本体１は、平地に設置するときは、図５（ａ）に示すように縦線２と横線３が直角に交わる長方形の状態で配置できると共に、傾斜地に設置するときは、図５（ｂ）に示すようにフェンス本体１の両側を上下反対に移動させることで、フェンス本体１につき平行四辺形を保持して、つまり、縦線２につき鉛直方向に配向している状態を保持してフェンス本体１の上下部を傾斜させることができる。この場合、縦線２と横線３とが回動自在となるように、凹部４と凸部５の深さ（ｈ）、ピッチ（ｐ）を線径に対して余裕を持たせて設定しておくことにより、両線材の凹部４と凸部５が係合を保持したまま回動することで矩形状態から傾斜状態にスムーズに変形できる。
【００２７】
しかも、縦線２と横線３は上下と左右に適度の間隙を置いて配設されているにも拘わらず、フェンス本体１の上下左右の周辺部は、２本１組の縦線２と横線３が隣接する波型の凹部４と凸部５に係合することで安定して組まれているので、全体の線材が安定し、ずれることがない。したがって、製作から梱包、運搬、施工までの間の取り扱いによって、縦線・横線が崩れるという不具合を解消している。
【００２８】
フェンス本体１は  図５に示すように、所定の間隔で地盤７に立設された支柱８に取り付けてフェンス１０を構成する。図５〜図７によって説明すると、支柱８はハット型の横断面であり、下端部が地盤７に構築したコンクリート基礎１１に埋設されている。隣接する支柱８の間にアングル材からなる上部胴縁１２が架設され、フェンス本体１の上部はこの上部胴縁１２に固定される。フェンス本体１の両側部は支柱１に固定金具を用いて固定される。
【００２９】
各部の構成を順に説明すると、図６（ａ）に示すようにアングル材からなる上部胴縁１２の垂直部は、支柱８に上向きに切り起こした爪１３に係止され、水平部は支柱８の上部を横方向に貫通する取り付けボルト１４の先端に設けられた胴縁取付金具１５にて係止されている。また、図７（ａ）に示すように、フェンス本体１の２本１組の上部横線３ａは、上部胴縁１２の垂直部の内側面が当てがわれ、隣り合う中間部縦線２ｂの間において、金網取付金具１６にて押さえられ、該金網取付金具１６を貫通するボルト１７を介して上部胴縁１２に固定されている。また、図７（ｅ）、（ｆ）に示すように所定長さの上部胴縁１２の端部は、段差部のある一方の胴縁の端部に重ね合わせ、固定ボルト１８にて固定することでフェンスに設置長さに渡って連続して構成される。
【００３０】
２本１組で多段に設けられた中間部横線２ｂは、支柱８に対して、図５Ｆ部、Ｇ部に示す金具を用いて固定されている。図５のＦ部の金具は、その詳細を示す図６（ｃ）（ｄ）に示すように、ハット型断面の支柱８の両側の鍔部１８に隣接するフェンス本体１の中間部横線３ｂの端部と側部縦線２ａとが当てがわれ、押さえ金具１９で左右側が同時に押さえられる。この押さえ金具１９には、支柱８を抱持したＵボルト２０の両端が挿通しており、ナット２１を締結することで、押さえ金具１９を介して、フェンス本体１の両側部を支柱８に固定している。また、図５のＦ部では、ハット型断面の支柱８の頂部を貫通する固定ボルト２３が押さえ金具２２を挿通している。したがって、ボルト２３にナット２４を締結することで押さえ金具２２を介して、フェンス本体１の両側部が支柱８に固定されている。このように図５のＦ部とＧ部の固定手段を適宜に組み合わせてフェンス本体１の両側部を支柱８に固定されている。この固定手段は、フェンス本体１を平地と傾斜地の何れに設置するときも、共通に適用できる。フェンス本体１を支柱８に固定したとき、最下段の下部横線３ａから突出した縦線３の下端部は地盤７に埋設される。
【００３１】
本実施形態のフェンス１０は、波形凹凸部分が形成された縦線２と横線３が縦横平行に配置されてなり、縦線２は、隣接する半ピッチずれた２本以上の横線３の凹凸部分に通されて係合されている。また、縦線２の間隔と横線３の間隔は適度の余裕を持たせて配置されていて動物の進入を阻止できると共に、長方形のフェンス本体１を平行四辺形を保って適宜の傾斜に変形させることで、施工現場にて平地および傾斜地に容易に対応させることができる。しかも、このフェンス本体１は、製作、梱包、運搬、施工の間の取り扱いによっても、縦線２と横線３の編成が崩れることがなく、取り扱いと施工性が向上する。なお、中間部の縦線２ｂと横線３ｂの本数や配置の間隔などは設置状況に適応するように変更して構わない。
【図面の簡単な説明】
【００３２】
【図１】図（ａ）は、本発明のフェンス本体を構成するクリンプされた線材を使用した金網の正面図、図（ｂ）は、側面図、図（ｃ）は、図（ｂ）のＡ部の詳細図である。
【図２】図（ａ）は、図１（ａ）のＢ部の拡大図、図（ｂ）は、図２（ａ）のＣ−Ｃ断面図である。
【図３】図（ａ）は、フェンス本体の一部の斜視図、図（ｂ）は、縦線と横線の線径と波型凹凸部分の深さ（ｈ）の関係を示す説明図である。
【図４】図（ａ）は、図１のフェンス本体を平地に設置する場合の正面図、図（ｂ）は、同図（ａ）のフェンス本体の平行四辺形を保持して変形させて傾斜地に設置する場合の正面図である。
【図５】図（ａ）（ｂ）は、図１〜図４に示すフェンス本体で構成したフェンスを平地に設置した状態を示す正面図と側面図である。
【図６】図（ａ）（ｂ）は、図５のＥ部詳細図、図（ｃ）（ｄ）は、図５のＦ部詳細図、図（ｅ）（ｆ）は、図５のＧ部詳細図である。
【図７】図（ａ）は、上部胴縁とフェンス本体（クリンプ金網）の連結構造を示す正面図、（ｂ）（ｃ）（ｄ）は、上部胴縁の詳細図、（ｅ）（ｆ）は、上部胴縁の端部連結構造の詳細図である。
【符号の説明】
【００３３】
１  フェンス本体
２  縦線
２ａ  側部縦線
２ｂ  中間部縦線
３  横線
３ａ  上部と下部の横線
３ｂ  中間部の横線
４  凹部
５  凸部
６  四方枠
７  地盤
８  支柱
１０  フェンス
１１  コンクリート基礎
１２  上部胴縁
１３  爪
１４  取り付けボルト
１５  胴縁取付金具
１６  金網取付金具
１７  ボルト
１８  鍔部
１９  押さえ金具
２０  Ｕボルト
２１  ナット
２２  押さえ金具
２３  固定ボルト
２４  ナット
【図１】
2006152616.tif 000003
【図２】
2006152616.tif 000004
【図３】
2006152616.tif 000005
【図４】
2006152616.tif 000006
【図５】
2006152616.tif 000007
【図６】
2006152616.tif 000008
【図７】
2006152616.tif 000009